(57)【要約】【課題】被写体を撮像する撮像手段を備え、外部機器に接続した際に、その外部機器に対応する機能を画面上の表示で設定できるようにし、また、電源の自動ＯＦＦ機能、切り替った動作モードに対応したキャラクタの表示或いは音の出力を可能にした撮像装置を提供する。【解決手段】撮像装置は、被写体を撮像する撮像手段と、この撮像手段で撮像したデータを記録し且つ再生する記録再生手段と、所定の規格に準拠した接続形態を有する機器と接続する接続手段と、を備えた撮像装置であって、接続手段は、スイッチの切り替えで機器との接続形態を選択し或いは設定するようにしたことである。【選択図】    図１
2004343663.tif 000002
【特許請求の範囲】
【請求項１】
被写体を撮像する撮像手段と、前記撮像手段で撮像したデータを記録し且つ再生する記録再生手段と、前記撮像手段で撮像した静止画データを記録再生する静止画記録再生手段と、前記撮像手段で撮像した映像データを画面に表示すると共に、タッチパネルとしての機能を備えた表示手段と、所定の規格に準拠した接続形態を有する外部機器と接続する接続手段と、を備えた撮像装置であって、
前記接続手段は、スイッチの切り替えで前記外部機器との接続形態を選択し或いは設定するようにしたことを特徴とする撮像装置。
【請求項２】
前記スイッチは、電源スイッチ及び動作モードを切り替えるモード切替スイッチである請求項１に記載の撮像装置。
【請求項３】
前記外部機器はＵＳＢの規格に準拠した印刷装置を含み、その接続はＵＳＢケーブルであることを特徴とする請求項１に記載の撮像装置。
【請求項４】
前記接続手段は、前記外部機器と接続したときにその接続形態を前記表示手段の画面上に表示して適切な操作を誘導するようにしたことを特徴とする請求項１に記載の撮像装置。
【請求項５】
被写体を撮像する撮像手段と、該撮像手段で撮像した映像信号を記録する画像記録手段と、前記撮像手段で撮像した映像データを画面に表示すると共に、タッチパネルとしての機能を備えた表示手段と、装置に電源を供給する電源スイッチを有する電源供給手段と、を備えた撮像装置であって、
前記電源供給手段は、装置を放置した状態で所定時間経過後に自動的に電源をオフする自動電源ＯＦＦ機能を備えたことを特徴とする撮像装置。
【請求項６】
前記自動電源ＯＦＦ機能は、前記表示手段で画面に表示する操作メニューにより自動電源ＯＦＦ機能のオン／オフをユーザが選択でき、更に、当該操作メニューで自動電源オフすることを選択しているときに、特定条件下では電源がオフしないように制御することを特徴とする請求項５に記載の撮像装置。
【請求項７】
前記特定の条件とは、有線或いは無線による他の電子機器と接続中であることを含むことを特徴とする請求項６に記載の撮像装置。
【請求項８】
前記特定の条件に加え、更にユーザのキースイッチ操作或いはタッチパネル操作が行われたときに、自動電源オフまでの時間を自動的に延長することができる自動延長手段を備えたことを特徴とする請求項７に記載の撮像装置。
【請求項９】
前記自動延長手段は、前記タッチパネル操作が有効なタッチキー以外のキーの操作でも有効に機能することを特徴とする請求項８に記載の撮像装置。
【請求項１０】
被写体を撮像する撮像手段と、該撮像手段で撮像した映像信号を記録する画像記録手段と、前記撮像手段で撮像した映像データを画面に表示すると共に、タッチパネルとしての機能を備えた表示手段と、電源がオン状態で複数の動作モードを有し、該複数の動作モードを切り替えることができるモード切替手段と、を備えた撮像装置であって、
前記モード切替手段は、前記動作モードが切り替わったときに、当該切り替った動作モードを現すキャラクタを前記表示手段の画面上に表示する動作モード報知手段を備えたことを特徴とする撮像装置。
【請求項１１】
前記複数の動作モードは、前記撮像手段で撮影したデータをテープに記録するテープ撮影モードと、前記撮像手段で撮影したデータをメモリーに書き込むメモリー撮影モードとを含むことを特徴とする請求項１０に記載の撮像装置。
【請求項１２】
前記動作モード報知手段は、前記動作モードが切り替ったときから所定時間のみ前記表示手段の画面上に前記キャラクタを表示することを特徴とする請求項１０に記載の撮像装置。
【請求項１３】
前記動作モード報知手段は、前記動作モードが切り替ったときに前記表示手段の画面上にキャラクタが表示されると共に、音による報知も行うようにしたことを特徴とする請求項１０に記載の撮像装置。
【請求項１４】
前記音による報知は、切り替る動作モードによって異なる音であることを特徴とする請求項１３に記載の撮像装置。
【請求項１５】
被写体を撮像する撮像手段と、該撮像手段で撮像した映像信号を記録する画像記録手段と、前記撮像手段で撮像した映像データを画面に表示すると共に、タッチパネルとしての機能を備えた表示手段と、電源がオン状態で複数の動作モードを有し、該複数の動作モードを切り替えることができるモード切替手段と、を備えた撮像装置であって、
前記モード切替手段は、前記動作モードが切り替わったときに、当該切り替った動作モードを現すビープ音或いはメロディを出力する音報知手段を備えたことを特徴とする撮像装置。
【請求項１６】
前記複数の動作モードは、前記撮像手段で撮影したデータをテープに記録するテープ撮影モードと、前記撮像手段で撮影したデータをメモリーに書き込むメモリー撮影モードとを含むことを特徴とする請求項１５に記載の撮像装置。
【請求項１７】
前記音報知手段は、前記動作モードが切り替ったときから所定時間のみビープ音或いはメロディを出力することを特徴とする請求項１５に記載の撮像装置。
【請求項１８】
前記音報知手段は、切り替る動作モード毎に異なるビープ音或いはメロディであることを特徴とする請求項１５に記載の撮像装置。
【発明の詳細な説明】
【０００１】
【発明の属する技術分野】
本発明は、撮像装置に関するものであり、詳しくは所定の規格、例えばＵＳＢ（Ｕｎｉｖｅｒｓａｌ  Ｓｅｒｉａｌ  Ｂｕｓ）の規格、に準拠した機器、例えば印刷装置と接続したときに、その接続形態の選択を電源スイッチ或いは記録再生のモード切替スイッチで行うようにしたり、自動電源ＯＦＦ機能を備えたり、電源オン状態で動作モードが切り替ったときに報知する手段を備えることで、様々な機能を醸し出すことができるようにした撮像装置に関する。
【０００２】
【従来の技術】
（１）従来技術における撮像装置、例えば、静止画記録再生機能付きビデオカメラにおいて、ＵＳＢ機器のパーソナルコンピュータ（以下、ＰＣという）と接続されてきたが、近年プリンターともダイレクトにＵＳＢケーブルで接続でき、静止画を直接プリンターから印刷できる機能（以下、ピクトブリッジ（ＰｉｃｔＢｒｉｄｇｅ）機能という）が搭載されている。
【０００３】
（２）又、ビデオカメラでは、撮影スタンバイ状態において、通常、ユーザの録画スタート要求に対して、直ぐに録画開始できるようにビデオテープを回転磁気ヘッドに接触させ、回転磁気ヘッド部も動作を継続させている。しかし、テープ上の同じ箇所をヘッドが繰り返し擦ることによって、ビデオテープや回転磁気ヘッド部が損傷する恐れがある。この損傷を防ぐために、撮影スタンバイ状態時が所定時間続いたとき、電源を自動的に落とし、磁気ヘッドの回転を止めることがよく行われてきた。
【０００４】
（３）更に、複数の動作モードが存在する場合には、その動作モードに対応したＬＥＤを点灯或いは点滅させて視覚的に示すものが存在する
【０００５】
【特許文献１】
特開２０００−６６７７４号公報  （第３頁  第１図）
【０００６】
【発明が解決しようとする課題】
しかしながら、従来技術で説明した（１）の撮像装置において、ピクトブリッジ機能を搭載した撮像装置が存在すると、この撮像装置と従来からのＰＣとの接続の場合、プリンターとの接続の場合とで、その選択をさせる必要があり、この選択が結構複雑であるという問題がある。
従って、撮像装置、例えばビデオカメラ等において、ピクトブリッジ機能を備えた機器において、ＰＣやプリンターとの接続の選択が簡単にできるような機能を付加することに解決しなければならない課題を有する。
【０００７】
また、従来技術で説明した（２）の撮像装置において、撮影スタンバイ状態時が所定時間続いたとき、電源を自動的に落として、磁気ヘッドの回転を止めるようにしたものにおいて、目的がヘッドやテープの損傷防止であるため、ビデオテープが装着されていないときや、メモリーカードへの静止画や動画等の撮影モードでの待機時、ビデオテープやメモリーカードの再生モードでの待機時には、自動電源オフせず、電力（バッテリー供給、ＡＣ供給）の余分な消費がなされているという問題もある。そのため、誤って再生モード待機中のままでユーザがビデオカメラを放置してしまった際、所定時間経過するとバッテリー残量がゼロになってしまい、撮影しようとしたときに撮影ができず、撮影の機会を逸することにつながっていた。
一方、テープへの撮影を行う撮影モードでは、上述の損傷防止の為の電源オフが行われていた訳であるが、撮影スタンバイ状態のままでユーザが録画開始ではない他の操作、例えば、タッチパネル上でタイトルを作成する為の文字入力操作を行っていたとしても、所定の時間が経過すると電源がオフしてしまうため、ユーザからみると操作中であるにも関わらず、電源が遮断されて操作の継続が出来ず、操作勝手が悪いという問題もある。
【０００８】
従って、複数または全てのモードの操作メニューにおいて自動電源ＯＦＦ機能の入／切ができるようにすることであり、また、自動電源オフする設定中であっても、特定の条件においては、オフしないようにすることである。この特定の条件には、ユーザがビデオカメラの或るキーを押したり、タッチパネルに触れたりといったユーザからみると何か操作を行ったような場合も含ませるようにし、これらのキー操作等があった場合には、自動電源オフするまでの時間の延長を行うようにすることに解決しなければならない課題を有する。
【０００９】
更に、従来技術で説明した（３）の撮像装置において、動作モードが切り替ったときにはＬＥＤを点灯或いは点滅させる構成であると、ＬＥＤをその動作モードを知るために専用のＬＥＤを設ける必要があり、そのぶんコストアップにつながるという問題がある。
【００１０】
従って、切り替った動作モードの表示を、例えばメニュー操作するような表示手段に兼用させるようにして、コストアップを無くすことに解決しなければならない課題を有する。
【００１１】
【課題を解決するための手段】
上記課題を達成するために、本発明に係る撮像装置は、次に示す構成にすることである。
【００１２】
（１）撮像装置は、被写体を撮像する撮像手段と、前記撮像手段で撮像したデータを記録し且つ再生する記録再生手段と、前記撮像手段で撮像した静止画データを記録再生する静止画記録再生手段と、前記撮像手段で撮像した映像データを画面に表示すると共に、タッチパネルとしての機能を備えた表示手段と、所定の規格に準拠した接続形態を有する外部機器と接続する接続手段と、を備えた撮像装置であって、前記接続手段は、スイッチの切り替えで前記外部機器との接続形態を選択し或いは設定するようにしたことである。
（２）前記スイッチは、電源スイッチ及び動作モードを切り替えるモード切替スイッチである（１）に記載の撮像装置。
（３）前記外部機器はＵＳＢの規格に準拠した印刷装置を含み、その接続はＵＳＢケーブルであることを特徴とする（１）に記載の撮像装置。
（４）前記接続手段は、前記外部機器と接続したときにその接続形態を前記表示手段の画面上に表示して適切な操作を誘導するようにしたことを特徴とする（１）に記載の撮像装置。
【００１３】
（５）撮像装置は、被写体を撮像する撮像手段と、該撮像手段で撮像した映像信号を記録する画像記録手段と、前記撮像手段で撮像した映像データを画面に表示すると共に、タッチパネルとしての機能を備えた表示手段と、装置に電源を供給する電源スイッチを有する電源供給手段と、を備えた撮像装置であって、前記電源供給手段は、装置を放置した状態で所定時間経過後に自動的に電源をオフする自動電源ＯＦＦ機能を備えたことである。
（６）前記自動電源ＯＦＦ機能は、前記表示手段で画面に表示する操作メニューにより自動電源ＯＦＦ機能のオン／オフをユーザが選択でき、更に、当該操作メニューで自動電源オフすることを選択しているときに、特定条件下では電源がオフしないように制御することを特徴とする（５）に記載の撮像装置。
（７）前記特定の条件とは、有線或いは無線による他の電子機器と接続中であることを含むことを特徴とする（６）に記載の撮像装置。
（８）前記特定の条件に加え、更にユーザのキースイッチ操作或いはタッチパネル操作が行われたときに、自動電源オフまでの時間を自動的に延長することができる自動延長手段を備えたことを特徴とする（７）に記載の撮像装置。
（９）前記自動延長手段は、前記タッチパネル操作が有効なタッチキー以外のキーの操作でも有効に機能することを特徴とする（８）に記載の撮像装置。
【００１４】
（１０）撮像装置は、被写体を撮像する撮像手段と、該撮像手段で撮像した映像信号を記録する画像記録手段と、前記撮像手段で撮像した映像データを画面に表示すると共に、タッチパネルとしての機能を備えた表示手段と、電源がオン状態で複数の動作モードを有し、該複数の動作モードを切り替えることができるモード切替手段と、を備えた撮像装置であって、前記モード切替手段は、前記動作モードが切り替わったときに、当該切り替った動作モードを現すキャラクタを前記表示手段の画面上に表示する動作モード報知手段を備えたことである。
（１１）前記複数の動作モードは、前記撮像手段で撮影したデータをテープに記録するテープ撮影モードと、前記撮像手段で撮影したデータをメモリーに書き込むメモリー撮影モードとを含むことを特徴とする（１０）に記載の撮像装置。
（１２）前記動作モード報知手段は、前記動作モードが切り替ったときから所定時間のみ前記表示手段の画面上に前記キャラクタを表示することを特徴とする（１０）に記載の撮像装置。
（１３）前記動作モード報知手段は、前記動作モードが切り替ったときに前記表示手段の画面上にキャラクタが表示されると共に、音による報知も行うようにしたことを特徴とする（１０）に記載の撮像装置。
（１４）前記音による報知は、切り替る動作モードによって異なる音であることを特徴とする（１３）に記載の撮像装置。
【００１５】
（１５）撮像装置は、被写体を撮像する撮像手段と、該撮像手段で撮像した映像信号を記録する画像記録手段と、前記撮像手段で撮像した映像データを画面に表示すると共に、タッチパネルとしての機能を備えた表示手段と、電源がオン状態で複数の動作モードを有し、該複数の動作モードを切り替えることができるモード切替手段と、を備えた撮像装置であって、前記モード切替手段は、前記動作モードが切り替わったときに、当該切り替った動作モードを現すビープ音或いはメロディを出力する音報知手段を備えたことである。
（１６）前記複数の動作モードは、前記撮像手段で撮影したデータをテープに記録するテープ撮影モードと、前記撮像手段で撮影したデータをメモリーに書き込むメモリー撮影モードとを含むことを特徴とする（１５）に記載の撮像装置。
（１７）前記音報知手段は、前記動作モードが切り替ったときから所定時間のみビープ音或いはメロディを出力することを特徴とする（１５）に記載の撮像装置。
（１８）前記音報知手段は、切り替る動作モード毎に異なるビープ音或いはメロディであることを特徴とする（１５）に記載の撮像装置。
【００１６】
【発明の実施の形態】
次に、本願発明に係る撮像装置の種々な実施形態について図面を参照して，以下説明する。
【００１７】
本願発明に係る第１の実施形態の撮像装置は、図１に示すように、ＵＳＢケーブルにより外部のＵＳＢ機器、例えば、プリンター（印刷装置）、ＰＣと接続できる構成になっており、被写体を撮影する撮像部１１と、電源スイッチ、動作モードを切り替えるモード切替スイッチ、ピクトブリッジ機能を実行させるピクトブリッジスイッチ、その他のボタン等からなる入力部１２と、タッチパネル操作機能を備えた画面からなる表示部１３と、撮像部１１で撮影された映像データ等を処理する信号処理部１４と、テープ等の記録再生メディアに撮像した映像信号を記録する記録再生部１５と、静止画データを蓄積するリムーバブルな記録再生媒体であるメモリーカード１６と、メモリーカード１６を制御するメモリーカードコントローラ１７と、ＵＳＢケーブル２０を介して外部機器であるＵＳＢ機器２１とのデータの送受信を制御するＵＳＢインターフェース１８と、撮像部１１、記録再生部１５、入力部１２、表示部１３、信号処理部１４、メモリーカードコントローラ１７、ＵＳＢインターフェース１８の夫々を制御するコントローラ１９とを備えた構成になっている。
【００１８】
このような構成からなる撮像装置において、撮像装置１０にＵＳＢケーブル２０で接続される外部のＵＳＢ機器２１の種類によっては、予めメモリーカード１６に蓄積されている静止画データを転送できるようにコントローラ１９によりＵＳＢインターフェース１８を制御したり、又、信号処理部１４のデータを転送できるようにコントローラ１９によりＵＳＢインターフェース１８を制御したりする。
この制御の変更は、入力部１２のスイッチ、実施例において電源スイッチ或いは動作モードのテープ撮影モード、メモリー撮影モード、再生モードを切り替えるモード切替スイッチによりユーザが設定できるようになっている。
この設定は、図２に示すように、表示部１３で確認でき、「プリンタ接続」が反転表示されていれば、プリンターが接続され、且つプリンターを駆動させるための機能を備えていることになる。その他、ユーザに対して機器の状態等の情報を表示できる。
【００１９】
例えば、信号処理部１４のデータを外部のＵＳＢ機器２１に転送する設定にコントローラ１９がＵＳＢインターフェース１８を制御するように設定されている状態にて、外部のＵＳＢ機器２１であるプリンターが接続されているとする。この状態でメモリーカード１６にある静止画データを転送してプリンターから印刷する機能（ピクトブリッジ機能；ＰｉｃｔＢｒｉｄｇｅ機能）を実行する場合、ユーザが入力部１２のピクトブリッジ機能の選択実行ボタン（ピクトブリッジスイッチ）を押すことによりピクトブリッジ機能が実行され、メモリーカード１６に蓄積されている静止画データがプリンターに印刷できる。
【００２０】
ところで、コントローラ１９によりメモリーカード１６の静止画データを転送できる制御の設定に変更が必要なため、表示部１３によりユーザに設定の変更を促す表示をして、選択可能な状態にできる。その後、選定を入力部１２によりメモリーカード１６の静止画データを転送できる制御の設定に変更する。
この状態にて、外部のＵＳＢ機器２１とＵＳＢケーブル２０とで接続されていて転送可能であれば、ピクトブリッジ機能を実行する。もし、ＵＳＢケーブル２０が未接続の場合、更に表示部１３よりユーザに対してＵＳＢケーブル２０が未接続等の表示をして接続を促すことができる。
又、入力部１２よりモードが変更される場合、例えば、テープ撮影モード、メモリー撮影モード、再生モードが存在していて、各々のモードにてＵＳＢ機器２１と通信できる場合、このモードによりＵＳＢ機器２１の選択を信号処理の通信のみのように変えることもできる。
【００２１】
このように、撮像装置１０は、接続されるＵＳＢ機器２１の種類により、項目の設定が煩雑になるところを、モード切替スイッチ等の切り替えによる撮像装置１０のモード状態により、設定項目、内容を変更して、各々に設定値を記憶しておくことや、ＵＳＢケーブル２０での接続やリムーバブルのメモリーカード１６の挿入ありなし等により、撮像装置１０からＵＳＢ通信によるアプリケーションを実行させた際に、適切な通信方式の選択方法の提供と適切な状態表示により、ユーザが容易にアプリケーションを実行することができるのである。
【００２２】
次に、本願発明の第２の実施形態の撮像装置について、図面を参照して説明する。
【００２３】
第２の実施形態の撮像装置は、撮影モード以外でも所定の条件下において自動的に電源をオフにする自動電源ＯＦＦ機能を備えたものであり、そのハードウェア構成は、上記第１の実施形態の撮像装置で説明した図１に示すものと同じ構成になっている。
ここで、入力部１２の電源モード切替スイッチは、図３に示すように、電源のオン／オフに加えて、モードの切り替えができるスイッチであり、電源の「切」位置で電源がオフになり、「入」位置で電源が装置に供給され、「入」の位置のボタンを更に下方向にスライドさせることで、モードが切り替わる構成になっている。このモード方向にボタンをスライドさせて離すと、「入」の位置に跳ね返る（リターン）構成になっている。
ボタンを「入」の位置にして電源を入れ、次に、ボタンをスライドさせてモードにすると、「テープ撮影モード」になり、一番上のランプが点灯し、更に跳ね返ったボタンをスライドさせてモードにすると、「メモリ撮影モード」になり、二番目のランプが点灯し、更に跳ね返ったボタンをスライドさせてモードにすると、「再生モード」になり、一番下のランプが点灯する。
このようにして、電源スイッチのボタンをモード方向にスライドさせることで、テープ撮影モード、メモリ撮影モード、再生モードを順次切り替えることができるのである。
【００２４】
さて、電源スイッチのボタンが「入」の位置にして電源を供給すると、コントローラ１９は表示部１３の画面にメニュー画面を表示させるように制御する。ユーザは、このメニュー画面を操作することで、図４に示すように、自動電源ＯＦＦ機能の「入」２２、「切」２３のスイッチが表示される。ユーザは、この「入」２２、「切」２３のボタンのうち、「入」２２のボタンを押すことで、自動電源ＯＦＦ機能に入ることができる。「切」２３のボタンを押すと、自動電源ＯＦＦ機能に入ることができないから、電源はオフにならない。
【００２５】
自動電源ＯＦＦ機能に入ると、図６に示すように、ユーザがそのまま何もしないで放置しておくと、所定時間、実施例において５分、経過後に電源がオフになる。
自動電源ＯＦＦ機能に入って、ユーザが途中で、表示部１３のタッチパネルに触ったりすると、その触ったときから時間が延命され、そこから所定時間、実施例では５分経過後に電源がオフされる。
ユーザのタッチパネル操作に関しては、図５に示すように、タッチパネルとして機能するタッチパネル領域２４に限らず、画面に表示する表示領域２５をタッチしたときでもよい。これは有効なＧＵＩキーが押されたことによるコマンドを用いるだけでなく、タッチパネルデバイスからのアナログ値、又はアナログ→デジタル変換後の座標値の変化を検知することで、タッチパネル上のどの領域が押されても検知し、自動電源オフまでの時間延長に向かうことが可能になる。
【００２６】
このような自動電源ＯＦＦ機能の動作について、図７に示すフローチャートを参照して、以下説明する。
【００２７】
先ず、タイマーのカウンターを初期化、実施例では５分をカウントするように初期化する（ステップＳＴ１１）。
【００２８】
メニューで、自動電源ＯＦＦ機能を選択しているときは、他機器との接続或いは撮影中であるとか、表示部１３の画面で文字入力中等でなく自動電源ＯＦＦに向かってよいかどうかを判断する（ステップＳＴ１２、ＳＴ１３）。
【００２９】
自動電源ＯＦＦに向かってよい場合に、次に、タッチパネルやキー、スイッチ等の操作がされていないか否かを検出する（ステップＳＴ１４）。
【００３０】
タッチパネル等の操作がされていない場合には、次に、タイマーのカウントが零でないかどうかを調べる（ステップＳＴ１５）。
【００３１】
カウンターが零でないときには、タイマーのカウント値を減算して、ステップＳＴ１２に行き、タッチパネル等の操作がされていないかを調べる（ステップＳＴ１６）。
【００３２】
ステップＳＴ１５において、タイマーのカウントが零のときは、電源ＯＦＦの要求を出す。この電源ＯＦＦの要求が出ると、装置に供給されている電源がＯＦＦされる（ステップＳＴ１７）。
【００３３】
このように、どのモードにおいても、ユーザの自動電源オフを「入」にすることによって不要な電源の消耗を抑えることができる。これにより、撮影機会損失の低減を図ることができる。
又、所定の条件として、撮像装置に対する接続相手機器との接続中は電源を落とさないようにすることで、相手機器がパソコン等である場合に、相手機器がフリーズする等のトラブルを防ぐことができる。
更に、タッチパネル上での文字入力中は自動電源オフしないこと、ユーザの操作感に、より合致した自動電源オフ機能を実現することができる。
【００３４】
次に、本願発明の第３の実施形態の撮像装置について、図面を参照して説明する。
【００３５】
第３の実施形態の撮像装置は、電源オン時の動作モード、例えば、テープ撮影モード、メモリー撮影モードのように複数のモードを持つ撮像装置のモードの切り替えに時にキャラクタを表示させたり、音で報知するようにしたものであり、その構成は、上記第１の実施形態の撮像装置で採用した図１に示すものと同様であるので、その構成の説明は省略する。
又、電源スイッチや動作モードの設定は、第２の実施形態の撮像装置で説明した図３に示す電源スイッチと同様である。即ち、撮像装置１０の入力部１２の電源スイッチのボタンを「入」の位置にすることで電源が入り、その位置からスライドさせることで動作モードであるテープ撮影モード、メモリー撮影モード、再生モードに切り替ることができる。
【００３６】
今、図８に示すように、動作モードが、記録再生メディアがビデオテープによる「テープ撮影モード」、メモリーカードによる「メモリー撮影モード」であるときに、「テープ撮影モード」に切り替ったときには、図８（Ａ）に示すように、表示部１３の画面上にビデオカメラと記録再生メディアであるビデオテープからなるキャラクタ２６が重畳表示され、好ましくは左右に動いているように表示することで切り替った動作モードが「テープ撮影モード」であることが視認できる。
そして、図８（Ｂ）に示すように、動作モードが「メモリー撮影モード」に切り替ったときは、カメラとメモリースティックのキャラクタ２７が表示部１３の画面上に重畳表示され、好ましくは左右に動いているように表示することで、切り替った動作モードが「メモリー撮影モード」であることが視認できる。
これらのキャラクタ２６、２７の表示は、一定時間、実施例においては数秒間、経過後に消滅し、元の表示されている画面表示に復帰する。
尚、動作モードは、「テープ撮影モード」、「メモリー撮影モード」に限定したが、これらに限定されることなく、様々な動作モードに対応できることは勿論であり、又、その動作モードに対応した特有のキャラクタを画面上に重畳表示させるようにできることも勿論である。
【００３７】
次に、音による判別について説明する。
図９に示すように、動作モードが「テープ撮影モード」、「メモリー撮影モード」であるときに、図９（Ａ）に示すように、「テープ撮影モード」に切り替ったときは「ピッ」というビープ音を出力し、図９（Ｂ）に示すように、「メモリー撮影モード」に切り替ったときは「ピーッ」というビープ音を出力する。
そして、これらのビープ音の出力は、出力したときから所定時間経過後に消えるようになっている。
このビープ音の出力は、これらの音に限定されることなく、例えば、メロディでもよく、その音の種類には限定されないことは勿論のことである。
【００３８】
このビープ音の出力は、撮像装置の状況によりできない場合がある。
例えば、メニュー設定において、そのガイドをオフした場合、若しくは、音又は表示により、撮像装置の特殊な状況下では、内部のデータに破局的な破損を伴う場合、例えば、録音中に音を出す等、の場合には、音を出さないように設定することができる。
【００３９】
このように、動作モードに対応したキャラクタを画面上に表示したり、又は音を出力するようにしたことで、ユーザの動作モードの認識が画面上の表示或いは音によって解るようになり、操作性を向上させることができるばかりでなく、既存の表示部１３を利用することで、そのぶん装置のコストを削減することが可能になる。
【００４０】
【発明の効果】
以上説明したように、本願の撮像装置は、ＵＳＢ機器に接続した際に、タッチパネル操作機能を備えた画面上でＵＳＢ機器に対応した項目に設定できることで、簡単にＵＳＢ機器に対応した設定ができるという効果がある。
【００４１】
又、テープ撮影モード、メモリー撮影モード等の全てのモードにおいて、自動電源ＯＦＦ機能を設定できるようにしたことで、不要な電源の消耗を抑えることができ、撮影機会損失の低減を図ることができるという効果がある。
【００４２】
更に、切り替えた動作モードに対応したキャラクタを画面上に表示したり、又はビープ音を出力するようにしたことで、ユーザの動作モードの認識が画面上の表示或いは音によって解るようになり、操作性を向上させることができるばかりでなく、既存の表示部を利用することで、そのぶん装置のコストを削減することができるという効果がある。
【図面の簡単な説明】
【図１】本発明に係る撮像装置の構成を示したブロック図である。
【図２】同、表示部の画面上に表示されたＵＳＢ機器の様子を示した説明図である。
【図３】同、電源部分のスイッチの様子を示した説明図である。
【図４】同、自動電源ＯＦＦ機能が表示部の画面上に重畳表示された様子を示した説明図である。
【図５】同、表示部の画面上のボタン領域と、それ以外の領域を示した説明図である。
【図６】同、自動電源ＯＦＦ機能の動作を示した説明図である。
【図７】同、自動電源ＯＦＦ機能を動作させるためのフローチャートである。
【図８】同、特定の動作モードに切り替ったときに表示するキャラクタを示した説明図である。
【図９】同、特定の動作モードに切り替ったときに、出力する音の様子を示した説明図である。
【符号の説明】
１０；撮像装置、１１；撮像部、１２；入力部、１３；表示部、１４；信号処理部、１５；記録再生部、１６；メモリーカード、１７；メモリーカードコントローラ、１８；ＵＳＢインターフェース、１９；コントローラ、２０；ＵＳＢケーブル、２１；ＵＳＢ機器、２２；「入」、２３；「切」、２４；タッチパネル領域、２５；表示領域、２６；キャラクタ、２７；キャラクタ。
【図１】
2004343663.tif 000003
【図２】
2004343663.tif 000004
【図３】
2004343663.tif 000005
【図４】
2004343663.tif 000006
【図５】
2004343663.tif 000007
【図６】
2004343663.tif 000008
【図７】
2004343663.tif 000009
【図８】
2004343663.tif 000010
【図９】
2004343663.tif 000011
【手続補正書】
【提出日】平成16年8月16日(2004.8.16)
【手続補正１】
【補正対象書類名】明細書
【補正対象項目名】０００６
【補正方法】変更
【補正の内容】
【０００６】
【発明が解決しようとする課題】
しかしながら、従来技術で説明した（１）の撮像装置において、ピクトブリッジ機能を搭載した撮像装置が存在すると、この撮像装置と従来からのＰＣとの接続の場合と、プリンターとの接続の場合とで、その選択をさせる必要があり、この選択が結構複雑であるという問題がある。
従って、撮像装置、例えばビデオカメラ等において、ピクトブリッジ機能を備えた機器において、ＰＣやプリンターとの接続の選択が簡単にできるような機能を付加することに解決しなければならない課題を有する。


【手続補正２】
【補正対象書類名】明細書
【補正対象項目名】００１８
【補正方法】変更
【補正の内容】
【００１８】
このような構成からなる撮像装置において、撮像装置１０にＵＳＢケーブル２０で接続される外部のＵＳＢ機器２１の種類によっては、予めメモリーカード１６に蓄積されている静止画データを転送できるようにコントローラ１９によりＵＳＢインターフェース１８を制御したり、又、信号処理部１４のデータを転送できるようにコントローラ１９によりＵＳＢインターフェース１８を制御したりする。
この制御の変更は、入力部１２のスイッチ、即ち実施例において電源スイッチ或いは動作モードのテープ撮影モード、メモリー撮影モード、再生モードを切り替えるモード切替スイッチによりユーザが設定できるようになっている。
この設定は、図２に示すように、表示部１３で確認でき、「プリンタ接続」が反転表示されていれば、プリンターが接続され、且つプリンターを駆動させるための機能を備えていることになる。その他、ユーザに対して機器の状態等の情報を表示できる。


【手続補正３】
【補正対象書類名】明細書
【補正対象項目名】００３５
【補正方法】変更
【補正の内容】
【００３５】
第３の実施形態の撮像装置は、電源オン時の動作モード、例えば、テープ撮影モード、メモリー撮影モードのように複数のモードを持つ撮像装置のモードの切り替えに時にキャラクタを表示させたり、音で報知するようにしたものであり、その構成は、上記第１の実施形態の撮像装置で採用した図１に示すものと同様であるので、その構成の説明は省略する。
又、電源スイッチや動作モードの設定は、第２の実施形態の撮像装置で説明した図３に示す電源スイッチと同様である。即ち、撮像装置１０の入力部１２の電源スイッチのボタンを「入」の位置にすることで電源が入り、その位置からスライドさせることで動作モードであるテープ撮影モード、メモリー撮影モード、再生モードに切り替えることができる。